(57)【特許請求の範囲】
【請求項１】
走行部（２ｓ）を備える機体フレーム（２）の前部に、フロア板（２１）にフロント操作ボックス（３ｃ）が立設される操縦部（３）と、操縦部（３）の前方で植立穀稈を掻込リール（１６）で掻き込み刈刃（１３）で刈取られた穀稈をプラットホームオーガ（１４）及び搬送部（１０）を介して脱穀部（６）に搬送供給する刈取部（９）を配設した汎用コンバイン（Ａ）において、
前記操縦部（３）の前部下方と刈取部（９）のプラットホーム（１１）のオーガ後壁（１１ｂ）との間に形成される配置スペース（Ｓ）にバッテリ（２３）を設置するにあたり、機体フレーム（２）の機体前フレーム部（２ａ）の前部で、操縦部（３）のフロア板（２１）の下方に、該フロア板（２１）との間にメンテナンス作業空間を形成してバッテリ（２３）を着脱自在に載置すると共に、該バッテリ（２３）の上方の前記フロント操作ボックス（３ｃ）に取付けられるボックスカバー（２７）を、配置スペース（Ｓ）を狭めるように前方へ延設させることでバッテリ（２３）に対する藁屑や塵埃の堆積を抑制したことを特徴とする汎用コンバイン。
【請求項２】
機体前フレーム部（２ａ）の前部にバッテリ取付板（２５）を敷設すると共に、機体外方側で機体前フレーム部（２ａ）とフロア板（２１）のフロア前板部（２１ａ）とを支柱状のガードフレーム（２６)で連結し、該ガードフレーム（２６）をバッテリ取付板（２５）に載置されるバッテリ（２３）の外方側に位置させる請求項１記載の汎用コンバイン。
【発明の詳細な説明】
【技術分野】
【０００１】
本発明は、汎用コンバインに関し、詳しくはバッテリを刈取部と操縦部との間に設置するバッテリ設置構造に関する。
【背景技術】
【０００２】
従来、自脱型の脱穀部を搭載する機体フレームの前部で、右側寄りにフロント操作ボックスを立設するステップフロア等からなる操縦部と、該操縦部の他側に植立穀稈を引起しながら刈取って脱穀部に搬送供給する刈取部を備えるコンバインは、バッテリを上記ステップフロアを形成するフロア板の前部に載置した構成にしたものが既に公知である（例えば特許文献１）。
【先行技術文献】
【特許文献】
【０００３】
【特許文献１】実開昭５１−１３３６２５号公報
【発明の概要】
【発明が解決しようとする課題】
【０００４】
上記特許文献１で示されるコンバインは、フロア板の上に載置するバッテリを、フロント操作ボックスの前部に近接させて設置しているので、後方に搭載されるエンジンのスタータモータとも近くなりバッテリーケーブルを短くすることができると共に、メンテナンス作業性に優れる利点がある。然しながら、バッテリはフロア板の前部に搭載された状態で露出しているので、異物との直接的な接触による損傷を受け易いものであると共に、刈取部の引起し装置によって生ずる藁屑や塵埃の堆積を生ずる欠点があり、この藁屑の堆積や損傷等を防止するうえで、頑丈な保護用カバーが別途必要になる等の課題がある。
そこで、本発明は機体フレームの前部に、フロア板にフロント操作ボックスが立設される操縦部と、操縦部の前方で掻込リールで掻き込み刈刃で刈取られた穀稈をプラットホームオーガ及び搬送部を介してスレッシャー型脱穀部に搬送供給する刈取部を配設した汎用コンバインにおいて、前記操縦部の前部下方と刈取部のプラットホームオーガのオーガ後壁との間に形成される配置スペースに、バッテリを藁屑等から保護すると共に、メンテナンス作業を容易に行うことができるように設置するコンバインを提供するものである。
【課題を解決するための手段】
【０００５】
上記課題を解決するために本発明は、第１に、走行部２ｓを備える機体フレーム２の前部に、フロア板２１にフロント操作ボックス３ｃが立設される操縦部３と、操縦部３の前方で植立穀稈を掻込リール１６で掻き込み刈刃１３で刈取られた穀稈をプラットホームオーガ１４及び搬送部１０を介して脱穀部６に搬送供給する刈取部９を配設した汎用コンバインＡにおいて、
前記操縦部３の前部下方と刈取部９のプラットホーム１１のオーガ後壁１１ｂとの間に形成される配置スペースＳにバッテリ２３を設置するにあたり、機体フレーム２の機体前フレーム部２ａの前部で、操縦部３のフロア板２１の下方に、該フロア板２１との間にメンテナンス作業空間を形成してバッテリ２３を着脱自在に載置すると共に、該バッテリ２３の上方の前記フロント操作ボックス３ｃに取付けられるボックスカバー２７を、配置スペースＳを狭めるように前方へ延設させることでバッテリ２３に対する藁屑や塵埃の堆積を抑制したことを特徴としている。
第２に、機体前フレーム部２ａの前部にバッテリ取付板２５を敷設すると共に、機体外方側で機体前フレーム部２ａとフロア板２１のフロア前板部２１ａとを支柱状のガードフレーム２６で連結し、該ガードフレーム２６をバッテリ取付板２５に載置されるバッテリ２３の外方側に位置させることを特徴としている。
【発明の効果】
【０００６】
請求項１の発明によれば、操縦部の前部下方と刈取部のプラットホームのオーガ後壁との間に形成される配置スペースにバッテリを設置するにあたり、機体フレームの機体前フレーム部の前部で、操縦部のフロア板の下方に、該フロア板との間にメンテナンス作業空間を形成してバッテリを着脱自在に載置すると共に、該バッテリの上方の前記フロント操作ボックスに取付けられるボックスカバーを、配置スペースを狭めるように前方へ延設させることでバッテリに対する藁屑や塵埃の堆積を抑制したことにより、操縦部の前部下方と刈取部のプラットホームのオーガ後壁との間に形成される配置スペース内に、バッテリを露出させることなく、塵埃の堆積や器物の接当等から保護した状態で設置することができると共に、配置スペース内でもメンテナンス作業を容易に行うことができる。
請求項２の発明によれば、機体前フレーム部の前部にバッテリ取付板を敷設すると共に、機体外方側で機体前フレーム部とフロア板のフロア前板部とを支柱状のガードフレームで連結し、該ガードフレームをバッテリ取付板に載置されるバッテリの外方側に位置させることにより、機体フレームの機体前フレーム部を前方に延長することなく、バッテリをバッテリ取付板に、メンテナンス作業が行い易い位置に安定よく載置し簡単に取付けることができる。また縦フレームから前方に延長されて自由端となるフロア板をガードフレームを介して機体フレームと連結するため、ガードフレームによってフロント操作ボックスが立設されるフロア板の安定性及び振動防止性を向上させると共に、機体外側に位置してバッテリの外側を囲い異物との接触を防止するガード部材にすることができる。
【図面の簡単な説明】
【０００７】
【図１】汎用コンバインの側面図である。
【図２】図１の平面図である。
【図３】汎用コンバインのバッテリ設置構造を示す斜視図である。
【図４】バッテリ設置構造の右側面図である。
【図５】バッテリ設置構造の正面図である。
【図６】バランスウェイト構造を示す斜視図である。
【図７】回転センサ装置の取付構造を示す斜視図である。
【発明を実施するための形態】
【０００８】
本発明の実施の形態を図面に基づいて説明する。図示する符号Ａは本発明に係るバッテリ設置構造１を備えた汎用型コンバインであり、このコンバインＡは、左右一対のクローラ式の走行部２ｓを備える機体フレーム２に、その右側前部位置に操縦部３とエンジン４ａが搭載される原動機部４と穀粒排出オーガ装置５ａを備える穀粒貯留部５とを前後方向に配設している。また機体フレーム２の左側方位置には、スレッシャー型の脱穀部６を配設し、該脱穀部６の前方位置に刈取部９と搬送部１０等を昇降自在に支持し、刈取部９による作物の刈高さ調節を行うように設置している。これにより圃場に植立する作物を刈取部９で刈取り、刈取られた作物を搬送部１０を介し脱穀部６に搬送し、脱穀部６により脱穀選別された穀粒（精粒）を穀粒貯留部５に供給して貯留する。
【０００９】
図１〜図３に示すように刈取部９は、プラットホーム１１の前端部に左右一対の分草体１２を取付け、該分草体１２，１２間の後方位置に刈刃１３を設け、該刈刃１３の後方位置にプラットホームオーガ１４を設け、プラットホーム１１の後端上部に左右一対のリール支持アーム１５の基端を取付け、両リール支持アーム１５，１５間に収穫機用リールとしての掻込リール１６を回転自在に軸支している。また刈取部９は、プラットホーム１１のオーガ底板１１ａから上方に向けて立ち上がるオーガ後壁１１ｂと、操縦部３の前部との間に、刈取部９の昇降移動を許容する配置スペースＳを有している。
【００１０】
上記掻込リール１６は、左右のリール外枠１７，１７間に複数のタイン１８を有するタイン取付バー１９を円周方向に掻き込み間隔を有して横設しており、下向き矢印方向に回転駆動されることにより、植立穀稈をプラットホーム１１内に掻き込むことができる。またリール１６によって掻き込まれ刈刃１３で刈取られた作物（穀稈）は、プラットホームオーガ１４から搬送部１０に集合されて、脱穀部６に搬送供給されて脱穀選別作業が行われる。
【００１１】
次に、図１〜図５を参照し上記バッテリ設置構造１及び操縦部３の具体構成について説明する。先ず、操縦部３は、平面視において機体フレーム２の右側前部の上方に配置されており、座席３ａの前方にステップフロア３ｂを介してフロント操作ボックス３ｃと、その左側部にサイド操作ボックス３ｄを立設している。上記フロント操作ボックス３ｃには、パワステレバーやモニタ表示器等が設けられ、サイド操作ボックス３ｄには、エンジンのアクセルレバーや走行変速用の主変速レバー、副変速レバー、刈取や脱穀作業を司る各種のクラッチレバーが配設されている。
【００１２】
図示する操縦部３のステップフロア３ｂは、機体フレーム２から立ち上げたステップフレーム部２０の上部に張設される方形状をなす平板状のフロア板２１によって構成され、該フロア板２１には必要によりフロアマットを敷設することができる。ステップフレーム部２０は、機体フレーム２から左右のフロア支持幅を有して延長させた機体前フレーム部２ａ,２ａと、該機体前フレーム部２ａ,２ａに対し前後方向に立設した縦フレーム２２,２２と、該縦フレーム２２,２２の上部に一体的に設けられるフロア板２１とからなる。これによりステップフレーム部２０は、機体フレーム２から左右のフロア支持幅を有して延長される機体前フレーム部２ａの上に、縦フレーム２２,２２とフロア板２１によって、正面視で下向きコ字状をなしてバッテリ２３を設置可能なバッテリスペースＨを形成する。また右側の縦フレーム２２には乗降用の補助ステップ２２ａを突設している。
【００１３】
そして、前記バッテリスペースＨと配置スペースＳを利用して、バッテリ２３を保護状態で収納設置すると共に、バッテリ２３の着脱及び各種のメンテナンス作業を行い易くするバッテリ設置構造１を構成するようにしている。即ち、図３〜図５に示すようにバッテリ設置構造１は、フロア板２１を縦フレーム２２から前方に向けて突出させることによりフロント操作ボックス３ｃを立設している。またフロア前板部２１ａの下方に、バッテリ２３を載置するバッテリ取付板２５を前記機体前フレーム部２ａ,２ａに張設することにより、フロア前板部２１ａとバッテリ取付板２５との間にバッテリ設置部を構成している。このバッテリ設置部は、バッテリ取付板２５に載置されるバッテリ２３の上方に十分なメンテナンス作業空間を形成しており、バッテリ２３の着脱及び清掃等のメンテナンス作業を容易に行うようにしている。
【００１４】
上記構成において、右側の機体前フレーム部２ａとフロア前板部２１ａの右側とを、縦支柱状のガードフレーム２６によって連結する。これによりバッテリ２３の上方を広く覆うように前方に長く突出されるフロア前板部２１ａは、ガードフレーム２６を介して機体前フレーム部２ａに固定されるので、ビビリ振動を生ずることなく支持され且つフロント操作ボックス３ｃの立設安定性を向上させる。またガードフレーム２６は機体外側（右側）に位置してバッテリ２３の外側を囲うように異物との接触を防止するガード部材を兼ねることができる等の特徴がある。
さらに図３,図４で示すようにバッテリ２３は、縦フレーム２２から前方に露出させるとしても、フロント操作ボックス３ｃに取付けられるボックスカバー２７が、図１に示すように、上方において前記配置スペースＳを狭めるように覆うので、該配置スペースＳから落下してくる藁屑や塵埃のバッテリ２３に対する堆積は抑制される。
【００１５】
図示するバッテリ２３は、例えば、門型形状をなす丸棒状の線材の両端をバッテリ取付板２５に着脱及び調節自在にネジ止めされる取付具２９によって、後方側から前方上部をタスキ掛け状に締着する一般的な取付け手段によって取付けている。この取付け状態において、バッテリ２３の＋端子２３ａと−端子２３ｂには、各対応する端子電線３０,３０ａが前記フロア前板部２１ａの下方空間部において着脱容易に接続されている。従って、バッテリ２３は配置スペースＳにおいてフロア前板部２１ａの下方に広く開放されたスペースで側方から手を差し入れ、端子電線３０,３０ａを外すと共に取付具２９を緩める操作によって、バッテリ２３を簡単に取外すことができ且つ逆順の操作によって取付けることができる。また各端子２３ａ,２３ｂやバッテリ２３の清掃及びバッテリ液の点検等のメンテナンス作業も能率よく行うことができる。
【００１６】
次に、図１,図６,図７を参照し機体フレーム２に設置されるバランスウェイト構造並びにミッションケースに設置自在な回転センサ装置について説明する。先ず、図６で示すように機体フレーム２は、後部中間位置にエンジン４ａに燃料油を供給する燃料タンク３５を搭載しており、該燃料タンク３５の下方側で機体フレーム２から後方に向けて延設した左右の取付バー３６には、ウェイト３７が上記燃料タンク３５の後部をガードするように取付けられている。このウェイト３７は、略同形状をなすように小分割された複数のウェイト片３７ａを、取付バー３６に適正に組み合わせて取付けることにより、機体前方の刈取部９やバッテリ２３等の重量物との前後バランスを容易に調節するように取付けることができる。
【００１７】
一方、図７で示す回転センサ装置４０は、エンジン４ａから走行部の変速伝動を司る図示しないミッションケースの任意回転軸の軸端に装着されて、その回転数を検出することにより走行状態或いは走行距離等を判断することができる。また従来のものようにミッションケースの側壁に対し従来のものが取付け困難な場合であっても、この回転センサ装置４０は回転軸の軸端に対し簡単で廉価な取付構造によって容易に設置することができる。
即ち、回転センサ装置４０は、ミッションケース４１から突出する回転軸４１ａに対し、外周に任意構造の検出面４２を有して回転することができるロータ４３と、センサカバー４５に縦向きに支持される検出部(検出素子)４６とからなる。
【００１８】
図示例の回転センサ装置４０のロータ４３は、検出面４２を等間隔な突起４７を連続して形成しており、ロータ４３のボスを回転軸４１ａに嵌挿し取付けた状態で、該ロータ４３をセンサカバー４５によって覆うように取付けることができる。これにより回転センサ装置４０は、検出部４６を検出面４２に近接させて位置決め支持するようにしている。この際に、センサカバー４５の位置決め及び取付け手段は、センサカバー４５をミッションケース４１の側面に対しネジ止め等の手段によって行うか、又は近傍に位置する例えば機体フレーム２に対して取付け支持することができる。尚、ロータ４３は回転軸４１ａの軸端に直接的に形成してもよく、またセンサカバー４５に対し回転自在に軸支したロータ４３を、回転軸４１ａに任意な連結構造によって一体的に回転せるように取付けてもよいものである。
【００１９】
以上のように構成されるコンバインＡは、バッテリ設置構造１を、機体フレーム２の機体前フレーム部２ａの前部で、操縦部３のフロア板２１の下方にバッテリ２３を着脱自在に載置すると共に、機体前フレーム部２ａに立設される左右の縦フレーム２２の上部に敷設されるフロア板２１のフロア前板部２１ａによって、バッテリ２３の上方をメンテナンス作業空間を形成して覆うように構成したことにより、次のような特徴がある。即ち、操縦部３の前部下方と刈取部９のプラットホームオーガ１４のオーガ後壁１１ｂとの間に形成される配置スペースＳは、オーガ後壁１１ｂ等によって刈取部９側からの藁屑や塵埃の侵入が規制されているため、配置スペースＳ内に設置されるバッテリ２３に対する塵埃の堆積を低減させることができる。
【００２０】
さらに、機体フレーム２の機体前フレーム部２ａの前部で、操縦部３のフロア板２１の下方にバッテリ２３を着脱自在に載置すると共に、機体前フレーム部２ａに立設される左右の縦フレーム２２の上部に敷設されるフロア板２１のフロア前板部２１ａによってバッテリ２３の上方をメンテナンス作業空間を形成して覆う構成にしたことにより、操縦部３の前部下方とオーガ後壁１１ｂとの間に形成される配置スペースＳ内で、バッテリ２３を前側に大きく露出させることなく簡単に設置することができる。
【００２１】
また配置スペースＳ内で、塵埃の堆積や器物の接当等から保護した状態で設置することができる。また配置スペースＳ内でバッテリ２３の前側は、できるだけ広く開放させているため、配置スペースＳ内でのバッテリ２３の清掃や交換等のメンテナンス作業を能率よく容易に行うことができる等の特徴がある。尚、上記構成においてバッテリ２３は、必要によりシート状の防水布や合成樹脂又はゴム製の簡易膜体によって覆うことができると共に、この場合の簡易膜体の構成及び覆い作業等の簡潔化を図ることができる。
【符号の説明】
【００２２】
Ａ  汎用型コンバイン
１  バッテリ設置構造
２  機体フレーム
２ａ  操縦部フレーム
２ｓ  走行部
３  操縦部
３ｃ  フロント操作ボックス
６  脱穀部
１０  搬送部
１１ｂ  オーガ後壁
１３  刈刃
１４  プラットホームオーガ
１６  掻込リール
２１  フロア板
２１ａ  フロア前板部
２１  フロア板
２２  縦フレーム
２３  バッテリ
２５  バッテリ取付板
２６  ガードフレーム
Ｓ  配置スペース
【図１】
0005893467.tif 000002
【図２】
0005893467.tif 000003
【図３】
0005893467.tif 000004
【図４】
0005893467.tif 000005
【図５】
0005893467.tif 000006
【図６】
0005893467.tif 000007
【図７】
0005893467.tif 000008